(57)【要約】【課題】災害時や行楽時などにおける屋内外において、持ち運びならびに設営が容易である上、非透過性、遮光性ならびに通気性に優れ、プライバシーの確保も容易に可能な多目的シートの提供を図る。【解決手段】矩形のシート状に形成された非透過性ならびに遮光性を有して種々目的に使用される多目的シート１０であって、表地２１と裏地２２の二重構造を為すシート体２０の長手方向に、少なくとも一以上の通気帯２３が備えられて成り、裏地２２は遮光性を有するシルバーシート２２ａにより形成され、通気帯２３は表面に白色が配されると共に裏面に黒色が配されたメッシュ構造２４により形成される手段を採用する。【選択図】図１
0003213490.tif 000002
【実用新案登録請求の範囲】
【請求項１】
矩形のシート状に形成された非透過性ならびに遮光性を有する多目的シートであって、
前記多目的シートは、表地と裏地の二重構造を為すシート体の長手方向に少なくとも一以上の通気帯が備えられて成り、
前記裏地は遮光性を有するシルバーシートにより形成され、
前記通気帯は表面に白色が配されると共に裏面に黒色が配されたメッシュ構造により形成されて成ることを特徴とする多目的シート。
【請求項２】
前記シート体の所定箇所に、立設ポールを差し込み可能な袋小路穴ならびに該袋小路穴に差し込まれる立設ポールと、ロープ張り用のハトメと、把持用の取っ手と、危険防止用の反射帯と、表示体を差し込み表示可能な表示窓のうち選択される少なくとも１以上が装備されて成ることを特徴とする請求項１記載の多目的シート。
【請求項３】
前記立設ポールの下端が、地面に打ち込むことができる先鋭形状または自立可能なスタンド形状に形成されて成ることを特徴とする請求項２記載の多目的シート。
【考案の詳細な説明】
【技術分野】
【０００１】
本考案は、多目的シートに関し、詳しくは、災害時や行楽時など屋内外で使用され、持ち運びならびに設営が容易である上、非透過性、遮光性ならびに通気性に優れ、プライバシーの確保が容易な多目的シートに関するものである。
【背景技術】
【０００２】
従来より、災害時や行楽時などで使用され、屋内外に設営が容易である上、通気性に優れ、非透過性を有してプライバシーの確保が容易な多目的シ−トが提供されている。
【０００３】
上記の様な多目的シ−トの提案としては、例えば、比較的軽量であり、部分的に柔軟で屈曲性に富み、梱包時の折り目が付き難く張設した際の見栄えの良い、取り扱いの容易な建築工事用ネット、防風ネット、養生用ネット、目隠しネット等として使用可能な「メッシュシ−ト」（特許文献１）が提案され、公知技術となっている。具体的には、高融点ポリマ−の表面に低融点ポリマ−を形成する複合糸条を経緯糸に用いて織編成され、その糸条交差部を低融点ポリマ−によって熱融着されるメッシュ基材であって、部分的に５〜５０ｍｍ幅程度の高融点成分糸条で置換した帯体を数カ所形成して成るメッシュシ−トの提案である。
【０００４】
しかしながら、かかる「メッシュシ−ト」の提案は、全体構造がメッシュ構造で形成されていることから、通気性に関しては確保することができるが、非透過性ならびに遮光性が確保されておらず、よってプライバシーの確保が必要な場面での使用に不向きなシートの提案であった。
【０００５】
また、風抜け口を大きくできる「雨よけシート」（特許文献２）が提案され、公知技術となっている。具体的には、建物の躯体内に雨が侵入するのを防止する雨よけシートにおいて、設置時に上下で互いに平行な第１及び第２の辺部と、設置時に左右で互いに平行な第３及び第４の辺部とを有する矩形のシート本体は、上側に位置する前記第１の辺部に対して平行に延在する通気開口と、この通気開口を覆って配置されると共に、複数の通気孔を有する開口封鎖部と、前記開口封鎖部を外側から覆うように取り付けられていると共に、風抜け口を作るために、下側に位置する前記第２の辺部側の端部が前記シート本体に対して遊離しているフィンと、を備えている雨よけシートの提案である。
【０００６】
しかしながら、かかる「雨よけシート」の提案は、建物の施工時に使用されるものであって、建築構造物がない状態での設営が困難であると共に、建物の躯体内に雨が侵入するのを防止する雨よけ機能を備えることが第一の要件となっているため、通気性のための通気孔を開口封鎖部によって外側から覆う必要があり、よって雨水の付着により該開口封鎖部がシート本体に貼着される場合が想定され、その場合に通気機能を損なってしまう、といった問題があった。
【０００７】
本出願人は、従来の多目的シートにおける機能の中で、プライバシー保護のための非透過性と遮光性ならびに通気性の確保について特に着目し、高い通気性を確保しつつ確実なプライバシー保護を担保し得るための非透過性ならびに遮光性を有する多目的シートの提供ができないものかという着想の下、災害時や行楽時など屋内外で使用され、持ち運びならびに設営が容易である上、非透過性、遮光性ならびに通気性に優れ、プライバシーの確保が容易な多目的シートを開発し、本考案にかかる「多目的シート」の提案に至るものである。
【先行技術文献】
【特許文献】
【０００８】
【特許文献１】実開平７−３８４５１号公報
【特許文献２】特開２０１１−４２９６９号公報
【考案の概要】
【考案が解決しようとする課題】
【０００９】
本考案は、上記問題点に鑑み、災害時や行楽時など屋内外で使用され、持ち運びならびに設営が容易である上、非透過性、遮光性ならびに通気性に優れ、プライバシーの確保が容易な多目的シートを提供することを課題とする。
【課題を解決するための手段】
【００１０】
上記課題を解決するため、本考案は、矩形のシート状に形成された非透過性ならびに遮光性を有する多目的シートであって、該多目的シートは、表地と裏地の二重構造を為すシート体の長手方向に少なくとも一以上の通気帯が備えられて成り、該裏地は遮光性を有するシルバーシートにより形成され、該通気帯は表面に白色が配されると共に裏面に黒色が配されたメッシュ構造により形成されて成る手段を採る。
【００１１】
また、本考案は、前記シート体の所定箇所に、立設ポールを差し込み可能な袋小路穴ならびに該袋小路穴に差し込まれる立設ポールと、ロープ張り用のハトメと、把持用の取っ手と、危険防止用の反射帯と、表示体を差し込み表示可能な表示窓のうち選択される少なくとも１以上が装備されて成る手段を採る。
【００１２】
さらに、本考案は、前記立設ポールの下端が、地面に打ち込むことができる先鋭形状または自立可能なスタンド形状に形成されて成る手段を採る。
【考案の効果】
【００１３】
本考案にかかる多目的シートによれば、表地と裏地の二重構造を採用すると共に、遮光性を有するシルバーシートにより裏地が形成されているため、シート体の非透過性ならびに遮光性が確保されると共に外気温を遮断することも可能となり、遮断領域内のプライバシー保護が担保されると同時に、内側の灯りが外部に漏れることもない、といった優れた効果を奏する。
【００１４】
また、本考案にかかる多目的シートによれば、通気性確保のための通気帯について、表面に白色が配されると共に裏面に黒色が配されたメッシュ構造により形成されることで、非透過性ならびに遮光性が確保されているため、当該通気帯におけるプライバシー保護も担保されている、といった優れた効果を奏する。
【００１５】
さらに、本考案にかかる多目的シートによれば、シート体の所定箇所に、立設ポールを差し込み可能な袋小路穴ならびに該袋小路穴に差し込まれる立設ポールが装備されたり、ロープ張り用のハトメが装備されていることによって、室内外における更衣室や医療室、通路、トイレその他のプライバシー空間、テント等の設置が、人手によらず可能になる、といった優れた効果を奏する。
【００１６】
またさらに、本考案にかかる多目的シートによれば、シート体自体が柔軟性を有して小さく丸めることが可能であって、別途収納バッグ等に小型に収容することが可能であるため、持ち運びが容易であると共に、収納バッグからの出し入れが簡単であって設営・収容が容易である、といった優れた効果を奏する。
【００１７】
さらにまた、本考案にかかる多目的シートによれば、危険防止用の反射帯が装着可能であることによって、暗闇での危険防止が図られると共に、表示体を差し込み表示可能な表示窓が設けられることによって、設営目的や名札、看板、標識等を外部から認識しやすいように表示することができる、といった優れた効果を奏する。
【００１８】
そしてまた、本考案にかかる多目的シートによれば、シート体に危険防止用の反射帯が備えられることによって、暗闇での危険防止ならびに安全確保ができるといった優れた効果を奏する。
【００１９】
さらにまた、本考案にかかる多目的シートによれば、立設ポールの下端を地面に打ち込むことができる先鋭形状に形成することで、該下端を地面に打ち込んで固定することが可能となり、野外設営が容易であると共に、同下端を自立可能なスタンド形状に形成することによって、避難所などにおける室内での立設も可能である、といった優れた効果を奏する。
【図面の簡単な説明】
【００２０】
【図１】本考案にかかる多目的シートの第一の実施形態を示す説明図である。（実施例１）
【図２】本考案にかかる多目的シートの第二の実施形態を示す説明図である。（実施例２）
【図３】本考案にかかる多目的シートの第三の実施形態を示す説明図である。（実施例３）
【考案を実施するための形態】
【００２１】
本考案は、矩形のシート状に形成された非透過性ならびに遮光性を有して種々目的に使用される多目的シート１０であって、表地２１と裏地２２の二重構造を為すシート体２０の長手方向に少なくとも一以上の通気帯２３が備えられて成り、該裏地２２は遮光性を有するシルバーシート２２aにより形成され、該通気帯２３は表面に白色が配されると共に裏面に黒色が配されたメッシュ構造２４により形成されて成ることを最大の特徴とする。
以下、本考案にかかる多目的シート１０の実施形態を、図面に基づいて説明する。
【００２２】
尚、本考案にかかる多目的シート１０は、以下に述べる実施例に限定されるものではなく、本考案の技術的思想の範囲内、すなわち同一の作用効果を発揮できる形状や寸法等の範囲内で、適宜変更することができる。
また、以下の実施例において記載された各構成は、その文言通りに狭義に解釈されるものではなく、同様の作用効果を発揮し得る範囲内で広義に解釈されるものである。例えば、表地２１として「ブルーシート（２１ａ）」が例示されているが、当該文言について「青色のシート」と解釈されるべきではなく、同様の作用効果を発揮し得る限り他の色のシートも含む概念である。
【実施例１】
【００２３】
図1は、本考案にかかる多目的シート１０の第一の実施形態を示す説明図であり、（ａ）は正面図、（ｂ）は側面図である。
本実施形態にかかる多目的シート１０は、矩形のシート状に形成された非透過性ならびに遮光性を有して多目的に使用されるシートであって、表地２１と裏地２２の二重構造を為すシート体２０の長手方向に少なくとも一以上の通気帯２３が備えられて成る。
【００２４】
シート体２０は、非透過性ならびに遮光性を有する矩形（例えば、縦１．５ｍ×横３ｍ）のシート状に形成され、表地２１と裏地２２の二重構造によって形成されている。該シート体２０を構成する表地２１と裏地２２は、柔軟性を有しており、コンパクトに折り畳んだり丸めることが可能であって、別途収納バッグ等に収容することが可能となっている。また、該シート体２０は、既述の機能以外に、防水性も兼ね備えることが望ましい。
【００２５】
表地２１は、塩ビやナイロン等の樹脂製から成る矩形に形成されたシート状物であって、一般にブルーシート２１ａと言われ、内側が不可視な非透過性を有して成形されている。また、該表地２１の外側（表側）は、暗闇において目立たない視覚効果も有している。
【００２６】
裏地２２は、前記表地２１と略同一形状の矩形に形成されたシルバーシート２２ａ（銀色のシート状物）であって、素材については特に限定するものではなく、前記表地２１と同様、内側が不可視な非透過性を有すると共に、遮光性を有して成形されている。該裏地２２は、銀色であることから、内側を灯光したときに反射して内部を明るくする効果を有しており、更に内部熱を逃がさず外部熱を遮断する保温効果を有して形成されることが望ましい。
【００２７】
通気帯２３は、図に示されているように、シート体２０の長手方向に設けられるもので、メッシュ構造２４を有して通気性を備え、長手方向に所定の長さ・幅を有した帯状に形成される。かかる通気帯２３は、一のシート体２０に対し少なくとも一以上設けられるもので、図面では一のシート体２０に上下に二つの通気帯２３を設けた場合について示している。該通気帯２３は、表面には白色が配されると共に、裏面には黒色が配されて成る。このように、通気帯２３の表面を白色にすることで外部からの光学的反射作用が備わると共に、通気帯２３の裏面を黒色とすることで内部からの遮光作用が備わり、メッシュ構造２４にもかかわらず、当該光学的反射作用と遮光作用の相乗効果で、遮断領域内が見えない非透過性（目隠し効果）が発揮される。
【００２８】
以上で構成される本実施形態にかかる多目的シート１０は、遮光性を有するシルバーシート２２ａにより裏地２２が形成されているため、シート体２０の非透過性ならびに遮光性が確保されると共に外気温を遮断することも可能であって、内側の灯りが外部に漏れることもなく、メッシュ構造２４により形成された通気帯２３の非透過性も確保されていることから、プライバシーの確保が容易な多目的シート１０として、災害時や行楽時など屋内外のあらゆる場面で使用可能な利便性に富んだ多目的シート１０の提供を可能にするものである。
【実施例２】
【００２９】
次に、本考案にかかる多目的シート１０の第二の実施形態について説明する。上記実施例１と同様の部分は、説明を省略する。
図２は、本考案にかかる多目的シートの第二の実施形態を示す説明図である。
本実施形態にかかる多目的シート１０は、シート体２０の所定箇所に、立設ポール３１を差し込み可能な袋小路穴２５ならびに該袋小路穴２５に差し込まれる立設ポール３１と、ロープ張り用のハトメ２６と、把持用の取っ手２７と、危険防止用の反射帯２８と、表示体２９を差し込み表示可能な表示窓３０のうち選択される少なくとも１以上が装備されて形成された多目的シート１０となっている。
【００３０】
袋小路穴２５は、シート体２０の所定箇所（例えばシート体２０の両側部や中央箇所など）に装備され、その数や設置箇所については特に限定はない。該袋小路穴２５は、最奥部が閉口する様に袋状に縫設されることで、その袋状の内部に立設ポール３１が差し込み可能となっている。即ち、袋小路穴２５の径について、立設ポール３１の外径より大きく形成されることとなる。
【００３１】
立設ポール３１は、シート体２０の自立手段として設けられるもので、少なくともシート体２０の縦幅以上の長さを有する棒状体から成り、素材や具体的構造について特に限定はないが、例えば円形の金属製中空パイプにより成形されている。該立設ポール３１の構造について、所定箇所にて分割・組み立て可能な構造や、複数段に延伸可能な構造を採用することも考えられ、収納時の省スペース化、運搬時の小型化、設営時の拡大化が容易となる好適手段として採用し得る。かかる立設ポール３１を多目的シート１０に装備することで、前記袋小路穴２５と併せて、室内外における更衣室や医療室、通路、トイレその他のプライバシー空間、テント等の設置が、人手によらず自立的に可能になる。
【００３２】
ハトメ２６は、シート体２０の所定箇所（例えばシート体２０の周縁）にロープ張り用の通し穴として設けられるもので、その数や設置箇所については特に限定はない。かかるハトメ２６を多目的シート１０に装備することで、該ハトメ２６を運搬用のロープ掛け穴として使用したり、隣り合う多目的シート１０同士を結び付けたり、野外設営時のロープ張り用の通し穴として野外における通路やプライバシー空間、テント等の設営が容易になる。
【００３３】
取っ手２７は、シート体２０の所定箇所（例えばシート体２０の両側端部）に把持用として設けられるもので、その数や設置箇所については特に限定はない。かかる取っ手２７を多目的シート１０に装備することで、シート体２０を人の手で把持しつつ応急的な目隠し通路やプライバシー空間の設営をすることができると共に、非常災害時などにおいて、シート体２０を適当な大きさに折り畳み救護者が取っ手２７を把持することで簡易的な担架仕様としたり、シート体２０上に大量の食糧や備品を載せて運搬手段として使用することもでき、さらには、シート体２０を小さく丸めて持ち運びする際の持ち手としても利用することが可能である。
【００３４】
反射帯２８は、シート体２０の所定箇所（例えばシート体２０の表面の任意の箇所）に暗闇での危険防止用として設けられるもので、その数や大きさ、設置箇所については特に限定はない。かかる反射帯２８を多目的シート１０に装備することで、灯光が反射して暗闇でも多目的シート１０の存在を看者に認識させることができるため、危険防止用の安全対策手段として効果を発揮する。
【００３５】
表示窓３０は、シート体２０の所定箇所（例えばシート体２０の表面の任意の箇所）に表示体２９を差し込み表示可能とすべく設けられるもので、その数や大きさ、設置箇所については特に限定はない。かかる表示窓３０を多目的シート１０に装備することで、名札や看板、標識等といった表示体２９を差し込んで表示することが可能となり、多目的シート１０の設置目的や用途、宣伝、案内等を表示すべく機能する。
【００３６】
以上で構成される本実施形態にかかる多目的シート１０は、立設ポール３１を差し込み可能な袋小路穴２５ならびに該袋小路穴２５に差し込まれる立設ポール３１を装備することで自立可能とし、ロープ張り用のハトメ２６を装備することで設営が容易となり、把持用の取っ手２７を装備することで持ち易く応急的設営が可能であると共に運搬性向上に資し、危険防止用の反射帯２８を装備することで危険防止・安全対策に資し、表示体２９を差し込み表示可能な表示窓３０を装備することで設置目的等を明示することが可能になるといった、より利便性に富んだ多目的シート１０の提供を可能にするものである。
【実施例３】
【００３７】
次に、本考案にかかる多目的シート１０の第三の実施形態について説明する。上記実施例１ならびに実施例２と同様の部分は、説明を省略する。
図３は、本考案にかかる多目的シート１０の第三の実施形態を示す説明図であり、（ａ）は立設ポール３１の下端を先鋭形状３１ａとした場合、（ｂ）は立設ポール３１の下端をスタンド形状３１ｂとした場合について示している。
本実施形態にかかる多目的シート１０は、立設ポール３１の下端の形状を特定することで、機能性を向上させたものである。
【００３８】
図３（ａ）に示すように、立設ポール３１の下端の形状について、先鋭形状３１ａとする態様が考え得る。先鋭形状３１ａは、立設ポール３１の下端部について先方に向かって鋭く先細形状としたもので、かかる形状を採用することで、野外における地面に容易に打ち込むことが可能であって、地面打ち込みにより自立させることができるものである。
【００３９】
また、図３（ｂ）に示すように、立設ポール３１の下端の形状について、スタンド形状３１ｂとする態様が考え得る。スタンド形状３１ｂは、立設ポール３１の下端部を末広がり状の安定形状としたり、立設ポール３１の下端に別途スタンド板を装備させたり、あるいはそれらの組み合わせにより成形されるもので、かかる形状を採用することで、室内外における設置面（床面や地面等）に載置して容易に自立させることができるものである。
【００４０】
以上で構成される本実施形態にかかる多目的シート１０は、立設ポール３１の下端の形状を先鋭形状３１ａとすることで、野外地面への打ち込みにより自立させることが可能となり、立設ポール３１の下端の形状をスタンド形状３１ｂとすることで、室内外の設置面に載置して自立させることが可能になるといった、より利便性に富んだ多目的シート１０の提供を可能にするものである。
【産業上の利用可能性】
【００４１】
本考案にかかる多目的シートは、通気性を確保しつつ非透過性ならびに遮光性が確保され、しかも外気温を遮断することも可能であって、内側の灯りが外部に漏れることもないことから、プライバシーの確保が容易な多目的シートとして、災害時や行楽時など屋内外のあらゆる場面で使用可能なものである。したがって、本考案にかかる「多目的シート」の産業上の利用可能性は極めて大であるものと思料する。
【符号の説明】
【００４２】
１０    多目的シート
２０    シート体
２１    表地
２１ａ  ブルーシート
２２    裏地
２２ａ  シルバーシート
２３    通気帯
２４    メッシュ構造
２５    袋小路穴
２６    ハトメ
２７    取っ手
２８    反射帯
２９    表示体
３０    表示窓
３１    立設ポール
３１ａ  先鋭形状
３１ｂ  スタンド形状
【図１】
0003213490.tif 000003
【図２】
0003213490.tif 000004
【図３】
0003213490.tif 000005